(57)【要約】【課題】ワンセグ放送を行うシステムにおいて、中継局に回り込みキャンセラを設けることなく、放送信号を同一チャンネルで再送信できるようにする。【解決手段】放送局４から、放送用セグメントの放送用信号と、これと同一のデータ構成で第１中継用セグメントの第１中継用信号とを送信し、第１主中継局８a1からは、第１中継用信号を周波数変換することにより放送用信号及び第２中継用信号を生成して送信する。第１主中継局８a1と同じ中継エリアには、放送局４からの放送用信号を第３中継用信号に周波数変換して送信する第１副中継局８b1を設け、次段の中継エリアには、通常、第２中継用信号を周波数変換することにより放送用信号及び第４中継用信号を生成し、第２中継用信号停波時に、これら各信号を第３中継用信号から生成する第２主中継局８a2を設ける。【選択図】図１
2014150378.tif 000002
【特許請求の範囲】
【請求項１】
特定放送チャンネルのテレビ放送信号を構成する複数のセグメントの内、特定の一つのセグメントを放送用セグメントとして利用し、ワンセグ放送を行うワンセグ放送システムであって、
前記ワンセグ放送用の放送データから、前記放送用セグメントのＯＦＤＭ信号を生成すると共に、該ＯＦＤＭ信号と放送チャンネルが同じでセグメントが異なる第１中継用セグメントのＯＦＤＭ信号を生成し、該生成した放送用セグメント及び第１中継用セグメントのＯＦＤＭ信号を放送電波として送信する放送局と、
前記放送局からの送信電波を受信可能な第１中継エリアに設けられ、前記放送局からの放送電波を受信して前記第１中継用セグメントのＯＦＤＭ信号を選局し、該選局した第１中継用セグメントのＯＦＤＭ信号から、該ＯＦＤＭ信号と放送チャンネルが同じ放送用セグメントのＯＦＤＭ信号と、該ＯＦＤＭ信号と放送チャンネルが同じで前記放送用セグメント及び前記第１中継用セグメントとは異なる第２中継用セグメントのＯＦＤＭ信号と、をそれぞれ生成し、該生成した放送用セグメント及び第２中継用セグメントのＯＦＤＭ信号を放送電波として送信する第１主中継局と、
前記第１中継エリアに設けられ、前記放送局からの放送電波を受信して前記放送用セグメントのＯＦＤＭ信号を選局し、該選局した放送用セグメントのＯＦＤＭ信号から、該ＯＦＤＭ信号と放送チャンネルが同じで前記放送用セグメント及び前記第２中継用セグメントとは異なる第３中継用セグメントのＯＦＤＭ信号を生成し、該生成した第３中継用セグメントのＯＦＤＭ信号を放送電波として送信する第１副中継局と、
前記第１主中継局及び前記第１副中継局からの送信電波を受信可能な第２中継エリアに設けられ、これら各中継局からの放送電波を受信して前記第２中継用セグメントのＯＦＤＭ信号を選局し、該選局した第２中継用セグメントのＯＦＤＭ信号から、該ＯＦＤＭ信号と放送チャンネルが同じ放送用セグメントのＯＦＤＭ信号を生成し、該生成した放送用セグメントのＯＦＤＭ信号を放送電波として送信する第２主中継局と、
を備え、前記第２主中継局は、前記第２中継用セグメントのＯＦＤＭ信号を選局できたか否かを判断し、該ＯＦＤＭ信号を選局できないときには、選局するＯＦＤＭ信号を、前記第１副中継局から送信される第３中継用セグメントのＯＦＤＭ信号に切り換える信号切換手段を備えたことを特徴とするワンセグ放送システム。
【請求項２】
前記第２主中継局は、
選局した中継用セグメントのＯＦＤＭ信号から、該ＯＦＤＭ信号と放送チャンネルが同じ放送用セグメントのＯＦＤＭ信号と、該ＯＦＤＭ信号と放送チャンネルが同じで、前記放送用セグメント、前記第２中継用セグメント及び前記第３中継用セグメントとは異なる第４中継用セグメントのＯＦＤＭ信号と、をそれぞれ生成し、該生成した放送用セグメント及び第４中継用セグメントのＯＦＤＭ信号を放送電波として送信する、
ことを特徴とする請求項１に記載のワンセグ放送システム。
【請求項３】
前記第２中継エリアに設けられ、前記第１主中継局から送信された放送用セグメントのＯＦＤＭ信号を選局し、該選局した放送用セグメントのＯＦＤＭ信号から、該ＯＦＤＭ信号と放送チャンネルが同じで前記放送用セグメント及び前記第４中継用セグメントとは異なる第５中継用セグメントのＯＦＤＭ信号を生成し、該生成した第５中継用セグメントのＯＦＤＭ信号を放送電波として送信する第２副中継局、
を備えたことを特徴とする請求項２に記載のワンセグ放送システム。
【発明の詳細な説明】
【技術分野】
【０００１】
本発明は、デジタルテレビ放送１チャンネルを構成する複数のセグメントの内、特定の一つのセグメントを使ってワンセグ放送を行うワンセグ放送システムに関する。
【背景技術】
【０００２】
従来、地上デジタルテレビ放送では、一つの放送チャンネルに割り当てられる６ＭＨｚの周波数帯域内に、周波数帯域幅が約４２９ｋＨｚのセグメントを１３個割り当て、そのうち、周波数軸上で中央に配置される１つのセグメントを使用してワンセグ放送（ワンセグメント放送）を行い、残りの１２セグメントを利用してフルセグ放送（フルセグメント放送）を行っている（例えば、特許文献１参照）。
【０００３】
また、地上デジタルテレビ放送の一つとして、フルセグ放送は行わず、特定の地域で、放送チャンネル内の１セグメントだけを利用してワンセグ放送を行う、エリア放送型システム（以下、エリアワンセグ放送という）も知られている。
【０００４】
このエリアワンセグ放送は、例えば、防災情報や広報等、地域特有の情報を地域内の受信端末に配信するのに利用される。
そして、このエリアワンセグ放送でも、他の放送と同様、放送局からの送信電力が電波法等で規制されることから、放送局からの送信電波が地域全体に届かず、放送局からの送信電波が届かない地域内に放送電波を再送信する中継局を設置しなければならないことがある。
【０００５】
ところで、地上デジタルテレビ放送の中継局としては、放送局側から送信されてきたＵＨＦ帯のテレビ放送信号を、ＳＨＦ帯のテレビ放送信号に周波数変換して再送信するものが知られている（例えば、特許文献２参照）。
【０００６】
また、特許文献２に記載のように、放送局側から送信されてきたＵＨＦ帯のテレビ放送信号の放送チャンネルを変更することなく、受信した放送チャンネル（換言すれば周波数）の状態でそのまま再送信する、所謂ＳＦＮ（Single Frequency Network）方式のものも知られている。
【０００７】
そして、上述したエリアワンセグ放送の放送電波を中継する際には、こうした従来と同様の中継方式を採用できる。
【先行技術文献】
【特許文献】
【０００８】
【特許文献１】特開２００７−１９８９３６号公報
【特許文献２】特開２０００−７８０６４号公報
【発明の概要】
【発明が解決しようとする課題】
【０００９】
ところで、エリアワンセグ放送の中継方式として、受信信号をＳＨＦ帯に周波数変換する中継方式を採用すると、中継用の装置として、ＳＨＦ帯の電波を送受信可能なパラボラアンテナや、ＳＨＦ帯の信号の周波数変換、選局、増幅等の信号処理を行う回路、が必要となるため、コストがかかりすぎるという問題がある。
【００１０】
また、エリアワンセグ放送の中継方式として、テレビ放送信号の放送チャンネルを変更
して再送信する中継方式を採用した場合、ＳＨＦ帯の電波を利用する場合に比べて、中継用装置のコストを低減することはできる。
【００１１】
しかし、テレビ放送の放送チャンネルは、放送局毎に割り当てられているため、エリアワンセグ放送の中継用として勝手に放送チャンネルを変更することはできない。
また、この場合、エリアワンセグ放送を行う放送局に対し複数のチャンネルを割り当てることも考えられるが、このようにすると、各局間で、放送チャンネルの有効利用を図ることができず、ある地域で、複数の放送局からの同一チャンネルの放送電波が衝突し、その地域では放送局からのサービスを受けることができなくなる、という問題がある。
【００１２】
このため、エリアワンセグ放送の中継方式としては、テレビ放送信号の放送チャンネルを変更することなく、受信したテレビ放送信号を再送信する、ＳＦＮ方式を採用することが望ましい。
【００１３】
しかしながら、ＳＦＮ方式でエリアワンセグ放送を中継するようにすると、中継局で受信する放送局からの送信電波は、中継局から再送信される送信電波と同一であるので、中継局では、再送信した送信電波が、放送局からの送信電波と一緒に受信されることになり、受信信号の品質が劣化し、場合によっては、正常な中継ができなくなる。
【００１４】
こうした送信電波の回り込みによる問題を防止するには、中継局に、受信信号の中から、自身が再送信した信号成分を除去する回路（所謂、回り込みキャンセラ）を設ければよいが、このような対策では、中継用装置のコストアップを招くことから、エリアワンセグ放送用の中継局では採用することが難しい。
【００１５】
つまり、エリアワンセグ放送は、特定の地域で所謂自主放送を行うものであるため、中継局は低コストで実現する必要があり、中継局に高価な回り込みキャンセラを設置することは難しい。
【００１６】
本発明は、こうした問題に鑑みなされたものであり、上述したエリアワンセグ放送を行うワンセグ放送システムにおいて、中継局に回り込みキャンセラを設けることなく、放送局からの放送チャンネルと同一チャンネルで放送信号を再送信できるようにすることを目的とする。
【課題を解決するための手段】
【００１７】
かかる目的を達成するためになされた請求項１に記載の発明は、特定放送チャンネルのテレビ放送信号を構成する複数のセグメントの内、特定の一つのセグメントを放送用セグメントとして利用し、ワンセグ放送を行うワンセグ放送システムであって、
前記ワンセグ放送用の放送データから、前記放送用セグメントのＯＦＤＭ信号を生成すると共に、該ＯＦＤＭ信号と放送チャンネルが同じでセグメントが異なる第１中継用セグメントのＯＦＤＭ信号を生成し、該生成した放送用セグメント及び第１中継用セグメントのＯＦＤＭ信号を放送電波として送信する放送局と、
前記放送局からの送信電波を受信可能な第１中継エリアに設けられ、前記放送局からの放送電波を受信して前記第１中継用セグメントのＯＦＤＭ信号を選局し、該選局した第１中継用セグメントのＯＦＤＭ信号から、該ＯＦＤＭ信号と放送チャンネルが同じ放送用セグメントのＯＦＤＭ信号と、該ＯＦＤＭ信号と放送チャンネルが同じで前記放送用セグメント及び前記第１中継用セグメントとは異なる第２中継用セグメントのＯＦＤＭ信号と、をそれぞれ生成し、該生成した放送用セグメント及び第２中継用セグメントのＯＦＤＭ信号を放送電波として送信する第１主中継局と、
前記第１中継エリアに設けられ、前記放送局からの放送電波を受信して前記放送用セグメントのＯＦＤＭ信号を選局し、該選局した放送用セグメントのＯＦＤＭ信号から、該Ｏ
ＦＤＭ信号と放送チャンネルが同じで前記放送用セグメント及び前記第２中継用セグメントとは異なる第３中継用セグメントのＯＦＤＭ信号を生成し、該生成した第３中継用セグメントのＯＦＤＭ信号を放送電波として送信する第１副中継局と、
前記第１主中継局及び前記第１副中継局からの送信電波を受信可能な第２中継エリアに設けられ、これら各中継局からの放送電波を受信して前記第２中継用セグメントのＯＦＤＭ信号を選局し、該選局した第２中継用セグメントのＯＦＤＭ信号から、該ＯＦＤＭ信号と放送チャンネルが同じ放送用セグメントのＯＦＤＭ信号を生成し、該生成した放送用セグメントのＯＦＤＭ信号を放送電波として送信する第２主中継局と、
を備え、前記第２主中継局は、前記第２中継用セグメントのＯＦＤＭ信号を選局できたか否かを判断し、該ＯＦＤＭ信号を選局できないときには、選局するＯＦＤＭ信号を、前記第１副中継局から送信される第３中継用セグメントのＯＦＤＭ信号に切り換える信号切換手段を備えたことを特徴とする。
【００１８】
また、請求項２に記載の発明は、請求項１に記載のワンセグ放送システムにおいて、前記第２主中継局は、選局した中継用セグメントのＯＦＤＭ信号から、該ＯＦＤＭ信号と放送チャンネルが同じ放送用セグメントのＯＦＤＭ信号と、該ＯＦＤＭ信号と放送チャンネルが同じで、前記放送用セグメント、前記第２中継用セグメント及び前記第３中継用セグメントとは異なる第４中継用セグメントのＯＦＤＭ信号と、をそれぞれ生成し、該生成した放送用セグメント及び第４中継用セグメントのＯＦＤＭ信号を放送電波として送信することを特徴とする。
【００１９】
また、請求項３に記載の発明は、請求項２に記載のワンセグ放送システムにおいて、前記第２中継エリアに設けられ、前記第１主中継局から送信された放送用セグメントのＯＦＤＭ信号を選局し、該選局した放送用セグメントのＯＦＤＭ信号から、該ＯＦＤＭ信号と放送チャンネルが同じで前記放送用セグメント及び前記第４中継用セグメントとは異なる第５中継用セグメントのＯＦＤＭ信号を生成し、該生成した第５中継用セグメントのＯＦＤＭ信号を放送電波として送信する第２副中継局を備えたことを特徴とする。
【発明の効果】
【００２０】
請求項１に記載のワンセグ放送システムにおいては、放送局が、ワンセグ放送用の放送データから、放送用セグメントのＯＦＤＭ信号を生成すると共に、その生成したＯＦＤＭ信号と放送チャンネル及び信号形態が同じでセグメントが異なる第１中継用セグメントのＯＦＤＭ信号を生成し、その生成した放送用セグメント及び第１中継用セグメントのＯＦＤＭ信号を放送電波として送信する。
【００２１】
そして、放送局からの送信電波を受信可能な第１中継エリアには、第１主中継局及び第１副中継局が設けられている。
第１主中継局は、放送局からの放送電波を受信して第１中継用セグメントのＯＦＤＭ信号を選局し、その選局した第１中継用セグメントのＯＦＤＭ信号から、このＯＦＤＭ信号と放送チャンネルが同じ放送用セグメントのＯＦＤＭ信号と、このＯＦＤＭ信号と放送チャンネルが同じで放送用セグメント及び第１中継用セグメントとは異なるセグメント（第２中継用セグメント）のＯＦＤＭ信号と、をそれぞれ生成し、その生成した放送用セグメント及び第２中継用セグメントのＯＦＤＭ信号を放送電波として送信する。
【００２２】
このため、第１主中継局は、自身が送信した放送電波（つまり、放送用セグメント及び第２中継用セグメントのＯＦＤＭ信号）の回り込みの影響を受けることなく、放送用セグメント及び第２中継用セグメントのＯＦＤＭ信号を再送信することができる。
【００２３】
また、第１副中継局は、放送局からの放送電波を受信して放送用セグメントのＯＦＤＭ信号を選局し、その選局した放送用セグメントのＯＦＤＭ信号から、そのＯＦＤＭ信号と
放送チャンネルが同じで放送用セグメント及び第２中継用セグメントとは異なる第３中継用セグメントのＯＦＤＭ信号を生成し、その生成した第３中継用セグメントのＯＦＤＭ信号を放送電波として送信する。
【００２４】
このため、第１副中継局においても、自身が送信した放送電波の回り込みの影響を受けることなく、第３中継用セグメントのＯＦＤＭ信号を再送信することができる。
また、請求項１に記載のワンセグ放送システムにおいては、第１主中継局及び第１副中継局からの送信電波を受信可能な第２中継エリアに、第２主中継局が設けられる。
【００２５】
第２主中継局は、第１主中継局及び第１副中継局からの送信電波を受信して第２中継用セグメントのＯＦＤＭ信号を選局し、その選局した第２中継用セグメントのＯＦＤＭ信号から、このＯＦＤＭ信号と放送チャンネルが同じ放送用セグメントのＯＦＤＭ信号を生成し、その生成した放送用セグメントのＯＦＤＭ信号を放送電波として送信する。
【００２６】
このため、第２主中継局においても、自身が送信した放送電波の回り込みの影響を受けることなく、放送用セグメントのＯＦＤＭ信号を再送信することができる。
そして、本発明のワンセグ放送システムにおいては、放送局、第１主中継局、及び第２主中継局から、放送用セグメントのＯＦＤＭ信号が放送電波として送信されることから、これら各局の周囲では、放送用セグメントを選局・復調可能なワンセグ放送受信用端末を利用して、ワンセグ放送を視聴することができる。
【００２７】
ところで、第２主中継局は、第１主中継局から送信された第２中継用セグメントのＯＦＤＭ信号を選局し、その選局したＯＦＤＭ信号から放送用セグメントのＯＦＤＭ信号を生成して、再送信するが、選局すべき第２中継用セグメントのＯＦＭＤ信号が停波すると、放送用セグメントのＯＦＤＭ信号を再送信することができず、第２主中継局でワンセグ放送が中断されることになる。
【００２８】
そこで、本発明では、第２主中継局に、信号切換手段を設け、ワンセグ放送が中断されるのを防止している。
つまり、信号切換手段は、第２中継用セグメントのＯＦＤＭ信号を選局できたか否かを判断し、そのＯＦＤＭ信号を選局できないときには、選局するＯＦＤＭ信号を、第１副中継局から送信される第３中継用セグメントのＯＦＤＭ信号に切り換える。
【００２９】
このため、第２主中継局は、第１主中継局が故障し、第１主中継局から送信された第２中継用セグメントのＯＦＤＭ信号を選局できなくなっても、選局するＯＦＤＭ信号を第３中継用セグメントのＯＦＤＭ信号に切り換えることで、ワンセグ放送を継続することができる。
【００３０】
次に、請求項２に記載のワンセグ放送システムにおいて、第２主中継局は、選局した中継用セグメントのＯＦＤＭ信号から、そのＯＦＤＭ信号と放送チャンネルが同じ放送用セグメントのＯＦＤＭ信号と、そのＯＦＤＭ信号と放送チャンネルが同じで、放送用セグメント、第２中継用セグメント及び第３中継用セグメントとは異なる第４中継用セグメントのＯＦＤＭ信号と、をそれぞれ生成し、その生成した放送用セグメント及び第４中継用セグメントのＯＦＤＭ信号を放送電波として送信する。
【００３１】
このように、請求項２に記載のワンセグ放送システムにおいては、第２主中継局が、放送用セグメントのＯＦＤＭ信号と第４中継用セグメントのＯＦＤＭ信号とを放送電波として送信する。
【００３２】
従って、第２主中継局からの放送電波を受信可能な第３受信エリアに、第２主中継局か
ら送信された中継用セグメントのＯＦＤＭ信号を選局して、放送用セグメントのＯＦＤＭ信号を生成し、放送電波として送信する第３主中継局を設けるようにすれば、ワンセグ放送をより広範囲に伝送できるようになる。
【００３３】
また次に、請求項３に記載のワンセグ放送システムにおいては、第２中継エリアに、第２副中継局が設けられる。
そして、第２副中継局は、第１主中継局から送信された放送用セグメントのＯＦＤＭ信号を選局し、その選局した放送用セグメントのＯＦＤＭ信号から、ＯＦＤＭ信号と放送チャンネルが同じで放送用セグメント及び第４中継用セグメントとは異なる第５中継用セグメントのＯＦＤＭ信号を生成し、その生成した第５中継用セグメントのＯＦＤＭ信号を放送電波として送信する。
【００３４】
このため、請求項３に記載のワンセグ放送システムによれば、第２主中継局及び第２副中継局からの放送電波を受信可能な第３受信エリアに、請求項１に記載の第２主中継局と同様に構成された第３主中継局を設けるようにすれば、第２主中継局が故障し、第３主中継局において、第４中継用セグメントのＯＦＤＭ信号を選局できなくなっても、その選局するＯＦＤＭ信号を第５中継用セグメントのＯＦＤＭ信号に切り換えることで、ワンセグ放送を継続することができる。
【００３５】
また、第３受信エリア及び更に後段の受信エリアに、第２主中継局及び第２副中継局と同様に構成された主・副の中継局を配置するようにすれば、各受信エリアにおいて、ワンセグ放送を行うことができ、しかも、前段の主中継局が故障したとしても、後段の主中継局では、ワンセグ放送及びその中継を継続することができる。
【図面の簡単な説明】
【００３６】
【図１】実施形態のワンセグ放送システムの構成及び動作を表す説明図である。
【図２】放送局の構成を表すブロック図である。
【図３】第１主中継局の構成を表すブロック図である。
【図４】第１〜第３副中継局の構成を表すブロックズである。
【図５】第２、第３主中継局の構成を表すブロック図である。
【発明を実施するための形態】
【００３７】
以下に本発明の実施形態を図面と共に説明する。
図１に示すように、本実施形態のワンセグ放送システムは、放送電波を送信する送信アンテナ２を備えたワンセグ放送用の放送局４と、放送局４若しくは前段の中継局からの放送電波を受信アンテナ６にて受信し、送信アンテナ７から再送信する複数の主中継局８ａ１、８ａ２、８ａ３、…及び副中継局８ｂ１、８ｂ２、８ｂ３…と、から構成されている。
【００３８】
放送局４は、ワンセグ放送用の放送データから、ワンセグ放送用に割り当てられた特定放送チャンネル（ワンセグ放送チャンネル）内で特定セグメント（以下、放送用セグメントという）のＯＦＤＭ信号を、放送用信号として生成する。
【００３９】
また、放送局４は、その放送用信号と同一放送チャンネル内で放送用信号とは異なるセグメントのＯＦＤＭ信号を第１中継用信号として生成し、この２つのセグメントのＯＦＤＭ信号（放送用信号、第１中継用信号）を、放送電波として送信アンテナ２から送信させる。
【００４０】
図１の左上欄に記載のように、放送用セグメントは、テレビ放送信号を構成する１３個のセグメントの内、中央に位置するセグメントに設定されている。
また、中継用セグメントは、低周波数側のセグメントから、１セグメントおきに、第１中継用セグメント、第２中継用セグメント、第３中継用セグメントとして設定され、放送用セグメントを挟んで高周波側でも、１セグメントおきに、第４中継用セグメント、第５中継用セグメント、第６中継用セグメントとして設定されている。
【００４１】
なお、この中継用セグメントの設定は、本実施形態のものであり、実際にシステムを構築する際には、適宜設定すればよい。
次に、上記複数の中継局のうち、第１主中継局８ａ１及び第１副中継局８ｂ１は、放送局４からの送信電波を受信可能な第１エリア内の中継ポイントにそれぞれ配置され、第２主中継局８ａ２及び第２副中継局８ｂ２は、第１主中継局８ａ１及び第１副中継局８ｂ１からの送信電波を受信可能な第２エリア内の中継ポイントにそれぞれ配置されている。
【００４２】
また、第３主中継局８ａ３及び第３副中継局８ｂ３は、第２主中継局８ａ２及び第２副中継局８ｂ２からの送信電波を受信可能な第３エリア内の中継ポイントにそれぞれ配置され、更に、これら第３主中継局８ａ３及び第３副中継局８ｂ３からの送信電波を受信可能な第４エリア以降にも、それぞれ、第２、第３主中継局８ａ２、８ａ３及び第１〜第３副中継局８ｂ１〜８ｂ３と同様に構成された主中継局及び副中継局が配置されている。
【００４３】
このうち、第１主中継局８ａ１は、受信アンテナ６からの受信信号を取り込み、受信信号に含まれる第１中継用信号（放送局４から送信された第１中継用セグメントのＯＦＤＭ信号）を選局する。
【００４４】
そして、その選局した第１中継用セグメントのＯＦＤＭ信号を、ワンセグ放送チャンネル内で、放送用セグメントのＯＦＤＭ信号（つまり放送用信号）と、第１中継用信号とは異なるセグメント（本実施形態では第２中継用セグメント）のＯＦＤＭ信号（第２中継用信号）と、にそれぞれ周波数変換し、その２つのセグメントのＯＦＤＭ信号（放送用信号、第２中継用信号）を、放送電波として送信アンテナ７から送信させる。
【００４５】
また、第１副中継局８ｂ１は、受信アンテナ６からの受信信号を取り込み、受信信号に含まれる放送用信号（放送局４から送信された放送用セグメントのＯＦＤＭ信号）を選局する。
【００４６】
そして、その選局した放送用セグメントのＯＦＤＭ信号を、ワンセグ放送チャンネル内で、選局した放送用信号及び第１主中継局８ａ１から送信される第２中継用信号とは異なるセグメント（本実施形態では第３中継用セグメント）のＯＦＤＭ信号（第３中継用信号）に周波数変換し、その周波数変換したＯＦＤＭ信号（第３中継用信号）を、放送電波として送信アンテナ７から送信させる。
【００４７】
次に、第２主中継局８ａ２は、受信アンテナ６からの受信信号を取り込み、受信信号に含まれる第２中継用信号（第１主中継局８ａ１から送信された第２中継用セグメントのＯＦＤＭ信号）を選局する。
【００４８】
そして、その選局した第２中継用セグメントのＯＦＤＭ信号を、ワンセグ放送チャンネル内で、放送用セグメントのＯＦＤＭ信号（つまり放送用信号）と、第２中継用信号及び第３中継用信号とは異なるセグメント（本実施形態では第４中継用セグメント）のＯＦＤＭ信号（第４中継用信号）と、にそれぞれ周波数変換し、その２つのセグメントのＯＦＤＭ信号（放送用信号、第４中継用信号）を、放送電波として送信アンテナ７から送信させる。
【００４９】
また、第２副中継局８ｂ２は、受信アンテナ６からの受信信号を取り込み、受信信号に
含まれる放送用信号（第１主中継局８ａ１から送信された放送用セグメントのＯＦＤＭ信号）を選局する。
【００５０】
そして、その選局した放送用セグメントのＯＦＤＭ信号を、ワンセグ放送チャンネル内で、選局した放送用信号及び第２主中継局８ａ２から送信される第４中継用信号とは異なるセグメント（本実施形態では第５中継用セグメント）のＯＦＤＭ信号（第５中継用信号）に周波数変換し、その周波数変換したＯＦＤＭ信号（第５中継用信号）を、放送電波として送信アンテナ７から送信させる。
【００５１】
また次に、第３主中継局８ａ３は、受信アンテナ６からの受信信号を取り込み、受信信号に含まれる第４中継用信号（第２主中継局８ａ２から送信された第４中継用セグメントのＯＦＤＭ信号）を選局する。
【００５２】
そして、その選局した第４中継用セグメントのＯＦＤＭ信号を、ワンセグ放送チャンネル内で、放送用セグメントのＯＦＤＭ信号（つまり放送用信号）と、第４中継用信号及び第５中継用信号とは異なるセグメント（本実施形態では第６中継用セグメント）のＯＦＤＭ信号（第６中継用信号）と、にそれぞれ周波数変換し、その２つのセグメントのＯＦＤＭ信号（放送用信号、第６中継用信号）を、放送電波として送信アンテナ７から送信させる。
【００５３】
また、第３副中継局８ｂ３は、受信アンテナ６からの受信信号を取り込み、受信信号に含まれる放送用信号（第２主中継局８ａ２から送信された放送用セグメントのＯＦＤＭ信号）を選局する。
【００５４】
そして、その選局した放送用セグメントのＯＦＤＭ信号を、ワンセグ放送チャンネル内で、選局した放送用信号及び第３主中継局８ａ３から送信される第６中継用信号とは異なるセグメント（本実施形態では第１中継用セグメント）のＯＦＤＭ信号（第１中継用信号）に周波数変換し、その周波数変換したＯＦＤＭ信号（第１中継用信号）を、放送電波として送信アンテナ７から送信させる。
【００５５】
次に、放送局４、主中継局８ａ１、８ａ２、８ａ３、…、及び、副中継局８ｂ１、８ｂ２、８ｂ３…の構成について説明する。
図２に示すように、放送局４には、ワンセグ放送用のテレビ放送信号を生成して送信アンテナ２から送信させる放送信号送信系として、ＯＦＤＭフレーム構成部１０、ＯＦＤＭフレーム再構成部１２、及び逆離散フーリエ変換部１４からなるデジタル信号処理部と、逆離散フーリエ変換部１４からの出力（デジタルデータ）をアナログ信号に変換するＤ／Ａ変換部１６と、Ｄ／Ａ変換部１６からの出力（テレビ放送信号）を所定の送信レベルまで増幅する増幅器１８と、が備えられている。
【００５６】
ここで、ＯＦＤＭフレーム構成部１０は、映像・音声等からなるワンセグ放送用の放送データとＳＰ（スキャッタードパイロット）信号等の付加データとに基づき、特定放送チャンネルの放送用セグメントだけを使ってワンセグ放送を行うためのテレビ放送信号のＯＦＤＭフレームを構成する。
【００５７】
なお、ＯＦＤＭフレーム構成部１０で放送データに付加されるＳＰ信号は、当該放送データが、テレビ放送信号１チャンネル分を構成する１３個のセグメントの内、中央に位置するワンセグ放送用セグメントの放送データであることを表す信号であり、通常のテレビ放送で利用されるＳＰ信号と同じである。
【００５８】
また、ＯＦＤＭフレーム再構成部１２では、ＯＦＤＭフレーム構成部１０にて生成され
たＯＦＤＭフレーム内の放送用セグメントの放送データを、データ構成を変更することなく（詳しくは、ＳＰ信号はそのままで）、第１中継用セグメントの放送データとしてコピーすることにより、放送用セグメント及び第１中継用セグメントのＯＦＤＭ信号からなるテレビ放送信号のＯＦＤＭフレームを再構成する。
【００５９】
次に、逆離散フーリエ変換部１４は、ＯＦＤＭフレーム再構成部１２にて生成されたＯＦＤＭフレームを逆離散フーリエ変換（ＩＦＦＴ）することにより、放送用セグメント及び第１中継用セグメントからなるテレビ放送信号（詳しくは、そのデジタルデータ）を生成する。
【００６０】
この結果、放送局４では、放送用セグメントに、ワンセグ放送用の放送データが設定され、第１中継用セグメントに、ワンセグ放送用の放送データと同一の放送データが設定され、他のセグメントにはデータが存在しない、特定放送チャンネルのテレビ放送信号が生成され、そのテレビ放送信号が、送信アンテナ２から放送電波として送信される。
【００６１】
次に、第１主中継局８ａ１は、図３に示すように、受信アンテナ６にて受信された受信信号の中から放送局４から送信された第１中継用信号を選局して中間周波数帯の信号に変換するための選局部２０と、選局部２０にて選局され周波数変換された第１中継用信号を２分配する分配器２８と、分配器２８を介して中間周波数帯の第１中継用信号をそれぞれ取り込み、放送用信号及び第２中継用信号に周波数変換する２つ周波数変換部３０、４０と、各周波数変換部３０、４０にて生成された放送用信号及び第２中継用信号を混合することで再送信用のテレビ放送信号を生成する混合器４８と、混合器４８にて生成されたテレビ放送信号を所定レベルまで増幅して送信アンテナ７に出力する増幅器４９と、から構成されている。
【００６２】
選局部２０は、周波数変換用の高周波信号を発生する局部発振器２２と、受信アンテナ６からの受信信号と局部発振器２２からの高周波信号とを混合することで、放送局４から送信されたワンセグ用放送チャンネルのテレビ放送信号を中間周波数帯に周波数変換するミキサ２４と、ミキサ２４にて周波数変換されたテレビ放送信号の内、第１中継用セグメントの信号（第１中継用信号）を通過させるバンドパスフィルタ（以下、ＢＰＦという）２６とから構成されている。
【００６３】
また、周波数変換部３０、４０は、それぞれ、周波数変換用の高周波信号を発生する局部発振器３２、４２と、分配器２８を介して入力される中間周波数帯の第１中継用信号と局部発振器３２、４２からの高周波信号とを混合することで、選局部２０にて選局された第１中継用信号と同一放送チャンネル内の放送用セグメント及び第２中継用セグメントのＯＦＤＭ信号（放送用信号及び第２中継用信号）に周波数変換するミキサ３４、４４と、ミキサ３４、４４にて第１中継用信号を周波数変換することにより得られる放送用信号及び第２中継用信号をそれぞれ通過させるＢＰＦ３６、４６とから構成されている。
【００６４】
従って、第１主中継局８ａ１では、放送局４から送信されたテレビ放送信号内の第１中継用信号が、放送用信号、第２中継用信号に周波数変換されて、送信アンテナ７から再送信されることになる。
【００６５】
このため、第１主中継局８ａ１は、自身が送信した放送電波の回り込みの影響を受けることなく、放送用信号及び第２中継用信号を生成して再送信することができる。
次に、図４に示すように、副中継局８ｂ１、８ｂ２、８ｂ３、…は、それぞれ、受信アンテナ６にて受信された受信信号の中から、放送局４、若しくは、前段の中継エリアに設けられた主中継局８ａ１、８ａ２、…から送信された放送用信号を選局して中間周波数帯の信号に周波数変換するための選局部６０と、選局部６０にて選局され周波数変換された
放送用信号を、上述した中継用信号（詳しくは、第３中継用信号、第５中継用信号、第１中継用信号、…）に周波数変換するための周波数変換部７０と、周波数変換部７０にて生成された中継用信号を所定レベルまで増幅し、再送信用のテレビ放送信号として送信アンテナ７に出力する増幅器７８と、から構成されている。
【００６６】
なお、選局部６０は、第１主中継局８ａ１の選局部２０と同様、局部発振器６２と、ミキサ６４と、ＢＰＦ６６とから構成され、周波数変換部７０は、第１主中継局８ａ１の周波数変換部３０、４０と同様、局部発振器７２と、ミキサ７４と、ＢＰＦ７６とから構成されている。
【００６７】
このように、副中継局８ｂ１、８ｂ２、８ｂ３、…は、前段の放送局４若しくは主中継局８ａ１、８ａ２、…から送信された放送用信号を、上述した各中継用信号（詳しくは、第３中継用信号、第５中継用信号、第１中継用信号、…）に周波数変換して、再送信する。
【００６８】
このため、副中継局８ｂ１、８ｂ２、８ｂ３、…においても、自身が送信した放送電波の回り込みの影響を受けることなく、上記各中継用信号を生成して再送信することができる。
【００６９】
次に、図５に示すように、第２主中継局８ａ２、及び、第２主中継局８ａ２よりも後段の中継エリアに設置された主中継局８ａ３、…は、第１主中継局８ａ１と同様、選局部２０、分配器２８、周波数変換部３０、４０、混合器４８、及び、増幅器４９を備える。
【００７０】
選局部２０は、受信アンテナ６にて受信された受信信号の中から、前段の中継エリアに設けられた主中継局８ａ１、８ａ２、…から送信された中継用信号（詳しくは、第２中継用信号、第４中継用信号、…）を選局して中間周波数帯の信号に周波数変換するためのものである。
【００７１】
また、周波数変換部３０、４０は、選局部２０にて選局され周波数変換された中継用信号を、上述した中継用信号（詳しくは、第４中継用信号、第６中継用信号、…）に周波数変換するためのものである。
【００７２】
なお、これら選局部２０及び周波数変換部３０、４０は、選局部２０の局部発振器２２が可変発振器２３に変更されている点以外、第１主中継局８ａ１に設けられたものと同一の構成になっている。
【００７３】
また、図５に示すように、第２主中継局８ａ２、及び、第２主中継局８ａ２よりも後段の主中継局８ａ３、…には、選局部２０の可変発振器２３の発振周波数を、前段の主中継局８ａ１、８ａ２、…から送信された中継用信号（詳しくは、第２中継用信号、第４中継用信号、…）を選局するための基準発振周波数から、前段の副中継局８ｂ１、８ｂ２、…から送信された中継用信号（詳しくは、第３中継用信号、第５中継用信号、…）を選局するための切換発振周波数に切り換える選局切換部５０が設けられている。
【００７４】
選局切換部５０は、選局部２０から出力される中間周波数帯の中継用信号の信号レベルがしきい値以下であるか否かを判断することにより、前段の主中継局８ａ１、８ａ２、…から送信される中継用信号が停波したか否かを判断する停波判定部５２と、この停波判定部５２にて、前段の主中継局８ａ１、８ａ２、…からの中継用信号が停波したと判断されると、可変発振器２３の発振周波数を、基準発振周波数から切換発振周波数に切り換える周波数切換部５４と、停波判定部５２にて、前段の主中継局８ａ１、８ａ２、…からの中継用信号が停波したと判断されると、所定の無線通信網（携帯電話の通信網等）を介して
、その旨を表す通知信号を所定の連絡先に送信する通信部５６と、を備える。
【００７５】
また通信部５６は、所定の無線通信網を介して、可変発振器２３の発振周波数を基準発振周波数に戻す指令を受信すると、周波数切換部５４をリセットして、可変発振器２３の発振周波数を、切換発振周波数から基準発振周波数に変更させる。
【００７６】
このように、第２主中継局８ａ２、及び、第２主中継局８ａ２よりも後段の主中継局８ａ３、…においては、選局部２０にて本来すべき、前段の主中継局８ａ１、８ａ２、…から送信された第２中継用信号、第４中継用信号、…が停波した場合、選局部２０に、前段の副中継局８ｂ１、８ｂ２、…から送信された第３中継用信号、第５中継用信号、…を選局させる。
【００７７】
そして、その選局させた第３中継用信号、第５中継用信号、…から、再送信を行う放送用信号及び中継用信号（第４中継用信号、第６中継用信号、…）を生成する。
よって、本実施形態のワンセグ放送システムによれば、主中継局８ａ１、８ａ２、８ａ３、…の何れかが故障し、故障した主中継局から放送用信号及び中継用信号が送信されなくなっても、故障した主中継局よりも端末側の主中継局からは放送用信号及び中継用信号を送信することができる。
【００７８】
このため、本実施形態のワンセグ放送システムによれば、主中継局の故障によってワンセグ放送の中継が遮断されるのを防止でき、システムの信頼性を高めることができる。
また、主中継局８ａ２、８ａ３、…において、前段の主中継局８ａ１、８ａ２、…から送信された第２中継用信号、第４中継用信号、…が停波した場合には、通信部５６から所定の連絡先にその旨が通知される。
【００７９】
このため、システム管理者は、その通知によって、故障した主中継局８ａ１、８ａ２、…を特定して、修理等の対策を速やかに実施することができる。また、主中継局８ａ１、８ａ２、…の修理完了後には、故障を通知してきた主中継局８ａ２、８ａ３、…に、可変発振器２３の発振周波数を基準発振周波数に戻す指令を送信することで、主中継局８ａ２、８ａ３、…の動作を通常動作に戻すことができる。
【００８０】
なお、選局切換部５０は、本発明の信号切換手段に相当する。
以上、本発明の一実施形態について説明したが、本発明は上記実施形態に限定されるものではなく、本発明の要旨を逸脱しない範囲内にて種々の態様をとることができる。
【００８１】
例えば、上記実施形態では、第１主中継局８ａ１〜第３主中継局８ａ３、及び、第１副中継局８ｂ１〜第３副中継局８ｂ３は、全て、異なるセグメントの中継用信号を生成して、再送信するものとして説明した。
【００８２】
しかし、これら各中継局８ａ１〜８ａ３、８ｂ１〜８ｂ３は、選局した信号と異なるセグメントの中継用信号を生成するようにすればよく、必ずしも、各中継局８ａ１〜８ａ３、８ｂ１〜８ｂ３にて全て異なるセグメントの中継用信号を生成するようにする必要はない。
【００８３】
但し、第１副中継局８ｂ１〜第３副中継局８ｂ３は、中継用信号の混信防止のために、同一中継エリア内に配置される第１主中継局８ａ１〜第３主中継局８ａ３が生成する中継用信号とは異なるセグメントの中継用信号を生成するように構成する必要はある。
【符号の説明】
【００８４】
２…送信アンテナ、４…放送局、６…受信アンテナ、７…送信アンテナ、８ａ１…第１
主中継局、８ａ２…第２主中継局、８ａ３…第３主中継局、８ｂ１…第１副中継局、８ｂ２…第２副中継局、８ｂ３…第３副中継局、１０…フレーム構成部、１２…フレーム再構成部、１４…逆離散フーリエ変換部、１６…Ｄ／Ａ変換部、１８…増幅器、２０，６０…選局部、２２，６２…局部発振器、２３…可変発振器、２４，６４…ミキサ、２６，６６…ＢＰＦ、２８…分配器、３０，４０，７０…周波数変換部、３２，４２，７２…局部発振器、３４，４４，７４…ミキサ、３６，４６，７６…ＢＰＦ、４８…混合器、４９，７８…増幅器、５０…選局切換部、５２…停波判定部、５４…周波数切換部、５６…通信部。
【図１】
2014150378.tif 000003
【図２】
2014150378.tif 000004
【図３】
2014150378.tif 000005
【図４】
2014150378.tif 000006
【図５】
2014150378.tif 000007